(57)【特許請求の範囲】
【請求項１】
上下に隣り合う上側外壁材と、下側外壁材の接合構造であって、
前記上側外壁材の下部に設けた裏合抉部と、前記下側外壁材の上部に設けた表合抉部にて合抉接合され、
前記裏合抉部と前記表合抉部には、それぞれ留付具の爪部を係止させるための下方向凸部、上方向凸部が設けられ、
前記下方向凸部と前記上方向凸部の裏側において、前記下方向凸部と前記上方向凸部の間に空間が形成され、
前記下方向凸部の下面と前記上方向凸部の上面がそれぞれ水平に形成されており、
前記下側外壁材の前記上方向凸部の上面の一部が裏側に向かって下がることで前記空間が形成される、
建物外壁材の接合構造。
【請求項２】
前記空間を形成するために、
前記上方向凸部の裏側面最上点と、前記下方向凸部の裏側面最下点との距離を、前記上方向凸部と前記下方向凸部の間に形成される隙間の距離よりも大きく確保するものであって、
前記上方向凸部の裏側面最上点の上下位置が、前記上方向凸部の最上点の上下位置よりも低い位置に設定される、
ことを特徴とする、請求項１に記載の建物外壁材の接合構造。
【請求項３】
上下に隣り合う上側外壁材と、下側外壁材の接合構造であって、
前記上側外壁材の下部に設けた裏合抉部と、前記下側外壁材の上部に設けた表合抉部にて合抉接合され、
前記裏合抉部と前記表合抉部には、それぞれ留付具の爪部を係止させるための下方向凸部、上方向凸部が設けられ、
前記下方向凸部と前記上方向凸部の裏側において、前記下方向凸部と前記上方向凸部の間に空間が形成され、
前記空間を形成するために、
前記上方向凸部の裏側面最上点と、前記下方向凸部の裏側面最下点との距離を、上方向凸部と下方向凸部の間に形成される隙間の距離よりも大きく確保するものであって、
前記上方向凸部の裏側面最上点の外壁厚み方向位置が、前記下方向凸部の裏側面最下点の外壁厚み方向位置よりも、表側の位置に設定される、建物外壁材の接合構造。
【請求項４】
上下に隣り合う上側外壁材と、下側外壁材の接合構造であって、
前記上側外壁材の下部に設けた裏合抉部と、前記下側外壁材の上部に設けた表合抉部にて合抉接合され、
前記裏合抉部と前記表合抉部には、それぞれ留付具の爪部を係止させるための下方向凸部、上方向凸部が設けられ、
前記下方向凸部と前記上方向凸部の裏側において、前記下方向凸部と前記上方向凸部の間に空間が形成され、
前記空間を形成するために、
前記上方向凸部の裏側面最上点と、前記下方向凸部の裏側面最下点との距離を、前記上方向凸部と下方向凸部の間に形成される隙間の距離よりも大きく確保するものであって、
前記下側外壁材の裏側面が、前記上側外壁材の裏側面よりも表側に配置されることによって、前記上方向凸部の裏側面最上点の外壁厚み方向位置が、前記下方向凸部の裏側面最下点の外壁厚み方向位置よりも、表側の位置に設定される、建物外壁材の接合構造。
【請求項５】
上下に隣り合う上側外壁材と、下側外壁材の接合構造であって、
前記上側外壁材の下部に設けた裏合抉部と、前記下側外壁材の上部に設けた表合抉部にて合抉接合され、
前記裏合抉部と前記表合抉部には、それぞれ留付具の爪部を係止させるための下方向凸部、上方向凸部が設けられ、
前記下方向凸部と前記上方向凸部の裏側において、前記下方向凸部と前記上方向凸部の間に空間が形成され、
前記空間を形成するために、
前記爪部には、前記下方向凸部を下側から支えるための上側挿入部と、
前記上方向凸部の上方であって上側挿入部の下方に配置される下側挿入部が設けられる、建物外壁材の接合構造。
【発明の詳細な説明】
【技術分野】
【０００１】
本発明は、窯業系サイディングなどの外壁材を用いた建物外壁の施工に関するものであり、より詳しくは、上下に隣り合う外壁材の間の接合部における接合構造に関する。
【背景技術】
【０００２】
従来、窯業系サイディングなどの外壁材を用いた建物外壁の施工においては、上下に隣り合う外壁材の間に横目地部が形成され、左右に隣り合う外壁材の間に縦目地部が形成される。そして、これらの目地部を通して雨水などが外壁材の裏側に回りこむと、外壁材や構造躯体などが腐食し劣化する恐れが生じるため、目地部での防水機能を確保する必要がある。
【０００３】
このような外壁材の目地部での防水機能に関し、特許文献１では、隣り合う外壁材（外壁板）の端面の間に端面止水材を設けることで、外壁材同士の間における隙間の発生を防ぎ、外壁材の裏面側（後方）への水の浸入を防止する技術について開示をしている。
【先行技術文献】
【特許文献】
【０００４】
【特許文献１】特開２００６−２４１８３９号公報
【発明の概要】
【発明が解決しようとする課題】
【０００５】
他方、図１１及び図１２に示すごとく、上下の外壁材９１・９２の接合部である横目地部９３において、局所的に緑色の藻９５が発生して汚れるという事象が確認された。この事象を検証したところ、外壁材９１の裏面９１ｂに発生した結露水９０が、外壁材９１・９２の隙間９４に浸入し、この隙間９４内において滞留、或いは、外壁材９２の表面９２ａに流出し、その水によって藻９５が発生することが原因の一つと考えられた。なお、図１２においては、外壁材９１・９２の表面９１ａ・９２ａ（室外側の外装面）が現れており、各外壁材９１・９２は、留付具９６・９６によって胴縁などの躯体側に留め付け固定されるものとなっている。
【０００６】
或いは、別の事象では、同様に、横目地部において局所的に色のついた汚れが確認されることがあったが、この汚れは、施工途中において外壁材の裏面に雨水が降りかかることによって、外壁材の汚れや、胴縁から染み出た色素によるものであった。例えば、緑色を呈する防蟻剤が胴縁に施されていたケースでは、施工途中において胴縁が雨にぬれた際に、緑色がかった汚れが外壁材の表面に発生するという事象が確認された。
【０００７】
本発明の発明者らは、このような外壁材の裏面側から表面側への水の流れ、及び、表面側での横目地部の汚れの発生に着目したものであるが、従来は、特許文献１にも開示されるように、外壁材の表面側から裏面側への雨水などの浸入についてのみ着目したものであった。
【０００８】
特に、図１１に示されるように、上側の外壁材９１の裏合抉部９１Ａと、下側の外壁材９２の表合抉部９２Ａによって、合抉接合がなされる場合には、隙間９４が狭く形成されるため、毛細管現象によって隙間９４へ結露水などが浸入しやすい状況となることが懸念される。また、特許文献１に開示されるような構成においても、外壁材の裏面側の結露水などが上下の外壁材の隙間に滞留し、凍害などによって外壁材が劣化し易い状況となってしまうことが懸念される。
【０００９】
以上の問題は、全ての施工において発生するものではないが、施工地域や、施工途中の天候など、さまざまな条件が重なるなどすると、問題が発生する可能性が高まることが懸念されるため、この可能性を低減するための新たな方策が求められることになる。
【００１０】
そこで、本発明は、以上の問題に鑑み、外壁材の横目地部における裏面側での水の浸入を防止するための新規な技術を提案するものである。
【課題を解決するための手段】
【００１１】
本発明の解決しようとする課題は以上の如くであり、次にこの課題を解決するための手段を説明する。
【００１２】
即ち、請求項１に記載のごとく、上下に隣り合う上側外壁材と、下側外壁材の接合構造であって、前記上側外壁材の下部に設けた裏合抉部と、前記下側外壁材の上部に設けた表合抉部にて合抉接合され、前記裏合抉部と前記表合抉部には、それぞれ留付具の爪部を係止させるための下方向凸部、上方向凸部が設けられ、前記下方向凸部と前記上方向凸部の裏側において、前記下方向凸部と前記上方向凸部の間に空間が形成され、前記下方向凸部の下面と前記上方向凸部の上面がそれぞれ水平に形成されており、前記下側外壁材の前記上方向凸部の上面の一部が裏側に向かって下がることで前記空間が形成される、建物外壁材の接合構造とする。
【００１４】
また、請求項２に記載のごとく、前記空間を形成するために、前記上方向凸部の裏側面最上点と、前記下方向凸部の裏側面最下点との距離を、前記上方向凸部と前記下方向凸部の間に形成される隙間の距離よりも大きく確保するものであって、前記上方向凸部の裏側面最上点の上下位置が、前記上方向凸部の最上点の上下位置よりも低い位置に設定される、
こととするものである。
【００１５】
また、請求項３に記載のごとく、上下に隣り合う上側外壁材と、下側外壁材の接合構造であって、前記上側外壁材の下部に設けた裏合抉部と、前記下側外壁材の上部に設けた表合抉部にて合抉接合され、前記裏合抉部と前記表合抉部には、それぞれ留付具の爪部を係止させるための下方向凸部、上方向凸部が設けられ、前記下方向凸部と前記上方向凸部の裏側において、前記下方向凸部と前記上方向凸部の間に空間が形成され、前記空間を形成するために、前記上方向凸部の裏側面最上点と、前記下方向凸部の裏側面最下点との距離を、上方向凸部と下方向凸部の間に形成される隙間の距離よりも大きく確保するものであって、前記上方向凸部の裏側面最上点の外壁厚み方向位置が、前記下方向凸部の裏側面最下点の外壁厚み方向位置よりも、表側の位置に設定される、こととするものである。
【００１６】
また、請求項４に記載のごとく、上下に隣り合う上側外壁材と、下側外壁材の接合構造であって、前記上側外壁材の下部に設けた裏合抉部と、前記下側外壁材の上部に設けた表合抉部にて合抉接合され、前記裏合抉部と前記表合抉部には、それぞれ留付具の爪部を係止させるための下方向凸部、上方向凸部が設けられ、前記下方向凸部と前記上方向凸部の裏側において、前記下方向凸部と前記上方向凸部の間に空間が形成され、前記空間を形成するために、前記上方向凸部の裏側面最上点と、前記下方向凸部の裏側面最下点との距離を、前記上方向凸部と下方向凸部の間に形成される隙間の距離よりも大きく確保するものであって、前記下側外壁材の裏側面が、前記上側外壁材の裏側面よりも表側に配置されることによって、前記上方向凸部の裏側面最上点の外壁厚み方向位置が、前記下方向凸部の裏側面最下点の外壁厚み方向位置よりも、表側の位置に設定される、こととするものである。
【００１７】
また、請求項５に記載のごとく、上下に隣り合う上側外壁材と、下側外壁材の接合構造であって、前記上側外壁材の下部に設けた裏合抉部と、前記下側外壁材の上部に設けた表合抉部にて合抉接合され、前記裏合抉部と前記表合抉部には、それぞれ留付具の爪部を係止させるための下方向凸部、上方向凸部が設けられ、前記下方向凸部と前記上方向凸部の裏側において、前記下方向凸部と前記上方向凸部の間に空間が形成され、前記空間を形成するために、前記爪部には、前記下方向凸部を下側から支えるための上側挿入部と、前記上方向凸部の上方であって上側挿入部の下方に配置される下側挿入部が設けられる、こととするものである。
【発明の効果】
【００１８】
本発明の効果として、以下に示すような効果を奏する。
【００１９】
即ち、施工後において結露などによって外壁材の裏側面を水滴が流れ落ちる状況や、施工途中において雨水などが外壁材の裏側面に降りかかり水滴となって流れ落ちる状況が生じた場合においても、下方向凸部と上方向凸部の間の隙間内への水滴の浸入は防がれることから、この水滴が隙間に入った状態で滞留することや、或いは、下側外壁材の表側面へと染み出して汚れが生じるといった不具合の発生を防止できる。
【図面の簡単な説明】
【００２０】
【図１】（ａ）は実施例１の接合構造について示す断面図。（ｂ）は実施例１の接合構造について留付具が配置される箇所の断面図。
【図２】実施例１において形成される空間部分の詳細について示す図。
【図３】（ａ）は実施例１の接合構造において裏側からの水の浸入が防止される状況について説明する図。（ｂ）は従来の接合構造において裏側から水が浸入する状況について説明する図。
【図４】（ａ）は実施例２の接合構造について示す断面図。（ｂ）は実施例２の接合構造について留付具が配置される箇所の断面図。
【図５】実施例２において形成される空間部分の詳細について示す図。
【図６】（ａ）は実施例２の接合構造において裏側からの水の浸入が防止される状況について説明する図。（ｂ）は従来の接合構造において裏側から水が浸入する状況について説明する図。
【図７】実施例２の他の構成について示す水平断面図。
【図８】（ａ）は実施例３の接合構造について示す断面図。（ｂ）は実施例３の接合構造について留付具が配置される箇所の断面図。
【図９】実施例３において形成される空間部分の詳細について示す図。
【図１０】（ａ）は実施例３の接合構造において裏側からの水の浸入が防止される状況について説明する図。（ｂ）は従来の接合構造において裏側から水が浸入する状況について説明する図。
【図１１】従来の接合構造において裏側から水が浸入する状況について説明する図。
【図１２】従来の接合構造において外壁の横目地部に汚れが生じる状況について説明する図。
【発明を実施するための形態】
【００２１】
図１乃至図１０は、本発明の各実施例について示すものである。
これらの実施例に開示されるように、本発明は、
上下に隣り合う上側外壁材と、下側外壁材の接合構造であって、
前記上側外壁材の下部に設けた裏合抉部と、前記下側外壁材の上部に設けた表合抉部にて合抉接合され、
前記裏合抉部と前記表合抉部には、それぞれ留付具の爪部を係止させるための下方向凸部、上方向凸部が設けられ、
前記下方向凸部と前記上方向凸部の裏側において、前記下方向凸部と前記上方向凸部の間に空間を形成する、建物外壁材の接合構造とするものである。
なお、「下方向凸部と上方向凸部の裏側」とは、それぞれ、上側外壁材と下側外壁材の裏側面の側の部位をいうものである。
【００２２】
また、前記空間は、前記上側外壁材の裏側面を伝って流れ落ちる水滴が、前記空間を跨いでしまうことを防げるように構成されるものとする。
【００２３】
これにより、施工後において結露などによって外壁材の裏側面を水滴が流れ落ちる状況や、施工途中において雨水などが外壁材の裏側面に降りかかり水滴となって流れ落ちる状況が生じた場合においても、下方向凸部と上方向凸部の間の隙間内への水滴の浸入は防がれることから、この水滴が隙間に入った状態で滞留することや、或いは、下側外壁材の表側面へと染み出して汚れが生じるといった不具合の発生を防止できる。
以下、実施例を用いて詳細について説明する。
【実施例１】
【００２４】
図１（ａ）（ｂ）、及び、図２に示すごとく、本実施例１では、上下に隣り合う上側外壁材１０と、下側外壁材２０の接合構造であって、上側外壁材１０の下部に設けた裏合抉部１１と、下側外壁材２０の上部に設けた表合抉部２１にて合抉接合され、裏合抉部１１と表合抉部２１には、それぞれ留付具３０の爪部３１を係止させるための下方向凸部１２、上方向凸部２２が設けられ、前記下方向凸部１２と前記上方向凸部２２の裏側において、下方向凸部１２と上方向凸部２２の間に空間Ｍを形成するために、上方向凸部２２の裏側面最上点２０ｄと、下方向凸部１２の裏側面最下点１０ｄとの距離Ｈ（図２）を、上方向凸部２２と下方向凸部１２の間に形成される隙間Ｓの距離Ｈｓ（図２）よりも大きく確保するものであって、上方向凸部２２の裏側面最上点２０ｄの上下位置Ｐ２０が、上方向凸部２２の最上点の上下位置Ｐ２２よりも低い位置に設定される、こととするものである。
【００２５】
また、図３（ａ）に示すごとく、前記空間Ｍは、前記上側外壁材１０の裏側面１０ｂを伝って流れ落ちる水滴Ｗが、前記空間Ｍを跨いでしまうことを防げるように構成されるものとする。
【００２６】
以下詳細について説明すると、図１（ａ）に示すごとく、上側外壁材１０は、表側面１０ａと裏側面１０ｂを有する板状の部材であって、裏側面１０ｂを切欠くことによって、裏合抉部１１が形成されている。
【００２７】
また、図１（ａ）に示すごとく、裏合抉部１１は、裏側面１０ｂと、裏側面１０ｂの最も低い位置にある裏側面最下点１０ｄから表側に伸びる裏側下面１１ｄと、裏側下面１１ｄの表側端部から表側方向斜め上に伸びる傾斜面１１ｋと、傾斜面１１ｋの表側端部から表側に伸びる天面１１ｆと、天面１１ｆの表側端部から下方に伸びる縦壁面１１ｈと、縦壁面１１ｈの最下点から表側面最下点１０ｍに伸びる表側下面１１ｖと、を有して構成されている。
【００２８】
また、図１（ａ）に示すごとく、裏合抉部１１において、裏側面１０ｂと、裏側下面１１ｄと、傾斜面１１ｋの三つの面によって、下側に凸の形状をなす下方向凸部１２が形成されている。この下方向凸部１２は、図１（ｂ）に示すごとく、上側外壁材１０の横幅方向（図１の紙面と直交する方向）の数箇所において、留付具３０の爪部３１に係止されることとしている。
【００２９】
また、図１（ａ）に示すごとく、下側外壁材２０は、表側面２０ａと裏側面２０ｂを有する板状の部材であって、表側面２０ａを切欠くことによって、表合抉部２１が形成されている。
【００３０】
また、図１（ａ）に示すごとく、表合抉部２１は、裏側面２０ｂと、裏側面最上点２０ｄから表側方向斜め上に伸びる裏側傾斜面２１ｚと、裏側傾斜面２１ｚの表側最上点２１ｙから表側に伸びる裏側上面２１ｄと、裏側上面２１ｄの表側端部から表側方向斜め下に伸びる傾斜面２１ｋと、傾斜面２１ｋの表側端部から下方に伸びる縦壁面２１ｈと、縦壁面２１ｈの最下点から表側面最上点２０ｍに伸びる表側上面２１ｖと、を有して構成されている。また、縦壁面２１ｈには、下側外壁材２０の表側から表側上面２１ｖに浸入した水を止水するための止水材２１ｍ（止水用フォームメルトなど）が設けられる。
【００３１】
また、図１（ａ）に示すごとく、表合抉部２１において、裏側面２０ｂと、裏側傾斜面２１ｚと、裏側上面２１ｄと、傾斜面２１ｋの四つの面によって、上側に凸の形状をなす上方向凸部２２が形成されている。この上方向凸部２２は、図１（ｂ）に示すごとく、下側外壁材２０の横幅方向（図１の紙面と直交する方向）の数箇所において、留付具３０の爪部３１に係止されることとしている。
【００３２】
また、図１（ｂ）に示すごとく、上側外壁材１０の傾斜面１１ｋと、下側外壁材２０の傾斜面２１ｋには、それぞれ、留付具３０の爪部３１の傾斜面部３２・３３に対向するようになっており、上側外壁材１０、下側外壁材２０の面外方向へのズレが規制されるようになっている。また、留付具３０は、その固定板部３７が図示せぬ胴縁や柱などの躯体に対して固定されることとしている。
【００３３】
また、図１（ａ）、及び、図２に示すごとく、下側外壁材２０の上方向凸部２２における裏側面２０ｂの最上部、つまりは、裏側傾斜面２１ｚと裏側面２０ｂの境界部に位置する点は、裏側面最上点２０ｄとして特定される。また、この裏側面最上点２０ｄの上下位置Ｐ２０は、裏側上面２１ｄよりも、低い位置に設定されるようになっている。本実施例１では、裏側上面２１ｄの上下位置Ｐ２２が、上方向凸部２２の最上点に位置することとしており、これにより、裏側面最上点２０ｄが上方向凸部２２の最上点よりも低い位置に設定されるようになっている。
【００３４】
また、図１（ａ）、及び、図２に示すごとく、本実施例１では、裏側傾斜面２１ｚによって、裏側面最上点２０ｄの上下位置Ｐ２０が、上方向凸部２２の最上点の上下位置Ｐ２２よりも低い位置に設定されることにより、下方向凸部１２と上方向凸部２２の間に空間Ｍが形成されるようになっている。また、上方向凸部２２と下方向凸部１２の間に形成される隙間Ｓの距離Ｈｓ（図２）は、裏側下面１１ｄと裏側上面２１ｄの間の距離であって、図１（ｂ）に示すごとく、隙間Ｓに挿入される留付具３０の爪部３１の水平面部３４の上下位置によって規定されることになる。
【００３５】
以上のようにして、図２に示すごとく、上方向凸部２２の裏側面最上点２０ｄと、下方向凸部１２の裏側面最下点１０ｄとの距離Ｈを、上方向凸部２２と下方向凸部１２の間に形成される隙間Ｓの距離Ｈｓよりも大きく確保できるようになっている。
【００３６】
そして、図３（ａ）に示すごとく、空間Ｍが存在することによって、上側外壁材１０の裏側面１０ｂを伝う水滴Ｗが、上側外壁材１０の裏側下面１１ｄと下側外壁材２０の裏側上面２１ｄの間の隙間Ｓに浸入することを防止することができる。
【００３７】
仮に、図３（ｂ）に示すごとく、空間Ｍ（図３（ａ））が存在せず、上方向凸部２２Ｂの裏側面最上点２０Ｂｄが、下方向凸部１２Ｂの裏側面最下点１０Ｂｄに近接する構成である場合には、裏側面１０Ｂｂを伝って裏側面最下点１０Ｂｄに到達した水滴Ｗは、裏側面最下点１０Ｂｄと裏側面最上点２０Ｂｄの間の隙間ＳＢを一時的に跨ぐ状況となり、さらに、毛細管現象によって、隙間ＳＢ内へと浸入することになる。そして、隙間ＳＢ内へと浸入した水滴Ｗは、表側上面２１Ｂｖに滞留して外壁材の劣化（凍害など）に影響を与えることや、或いは、下側外壁材２０Ｂの表側面２０Ｂａへと染み出し、この染み出した水分によって藻が繁殖するなどして、汚れＹが生じることになる。
【００３８】
一方、図３（ａ）に示すごとく、空間Ｍが存在することによれば、上方向凸部２２の裏側面最上点２０ｄが、下方向凸部１２の裏側面最下点１０ｄから離された構成となるため、裏側面最下点１０ｄに到達した水滴Ｗは、裏側面最下点１０ｄと裏側面最上点２０ｄの間の隙間Ｓを跨ぐことができず、裏側面最下点１０ｄにおいて次第に大きな水滴となって、自重により下に落下などすることとなって、隙間Ｓ内への水滴Ｗの浸入が防がれることになる。
【００３９】
以上のようにして、図３（ａ）に示すごとく、施工後において結露などによって外壁材（上側外壁材１０）の裏側面１０ｂを水滴Ｗが流れ落ちる状況や、施工途中において雨水などが外壁材（上側外壁材１０）の裏側面１０ｂに降りかかり水滴Ｗとなって流れ落ちる状況が生じた場合においても、隙間Ｓ内への水滴Ｗの浸入は防がれることから、この水滴Ｗが表側上面２１ｖに滞留することや、或いは、下側外壁材２０の表側面２０ａへと染み出して汚れが生じるといった不具合の発生を防止できることになる。
【００４０】
また、図２に示すように、以上の構成では、上方向凸部２２の裏側面最上点２０ｄと、下方向凸部１２の裏側面最下点１０ｄとの距離Ｈを、上方向凸部２２と下方向凸部１２の間に形成される隙間Ｓの距離Ｈｓよりも大きく確保するために、裏側傾斜面２１ｚによって、裏側面最上点２０ｄの上下位置Ｐ２０が、上方向凸部２２の最上点の上下位置Ｐ２２よりも低い位置に設定することとしたが、このほかの形態を採用してもよい。
【実施例２】
【００４１】
図４（ａ）（ｂ）、及び、図５に示すごとく、本実施例２では、上下に隣り合う上側外壁材１０と、下側外壁材２２０の接合構造であって、上側外壁材１０の下部に設けた裏合抉部１１と、下側外壁材２２０の上部に設けた表合抉部２２１にて合抉接合され、裏合抉部１１と表合抉部２２１には、それぞれ留付具２３０の爪部２３１を係止させるための下方向凸部１２、上方向凸部２２２が設けられ、前記下方向凸部１２と前記上方向凸部２２２の裏側において、下方向凸部１２と上方向凸部２２２の間に空間Ｍ４を形成するために、上方向凸部２２２の裏側面最上点２２０ｄと、下方向凸部１２の裏側面最下点１０ｄとの距離Ｈ２を、上方向凸部２２２と下方向凸部１２の間に形成される隙間Ｓ２の距離Ｈ２ｓよりも大きく確保するものであって、下側外壁材２２０の裏側面２２０ｂが、上側外壁材１０の裏側面１０ｂよりも表側に配置されることによって、上方向凸部２２２の裏側面最上点２２０ｄの外壁厚み方向位置Ｐ２２０が、下方向凸部１２の裏側面最下点１０ｄの外壁厚み方向位置Ｐ１１０よりも、表側の位置に設定される、こととするものである。
【００４２】
また、図６（ａ）に示すごとく、前記空間Ｍ４は、前記上側外壁材１０の裏側面１０ｂを伝って流れ落ちる水滴Ｗが、前記空間Ｍ４を跨いでしまうことを防げるように構成されるものとする。
【００４３】
以下詳細について説明すると、本実施例２では、図４（ａ）に示すごとく、上側外壁材１０については、実施例１と同様とする一方で、下側外壁材２２０については、実施例１と異なる上方向凸部２２２を形成する構成としている。
【００４４】
具体的には、図４（ａ）に示すごとく、表合抉部２２１は、下側外壁材２２０の裏側面２２０ｂと、裏側面２２０ｂの最も高い位置にある裏側面最上点２２０ｄから表側に伸びる裏側上面２２１ｄと、裏側上面２２１ｄの表側端部から表側方向斜め下に伸びる傾斜面２２１ｋと、傾斜面２２１ｋの表側端部から下方に伸びる縦壁面２２１ｈと、縦壁面２２１ｈの最下点から表側面最上点２２０ｍに伸びる表側上面２２１ｖと、を有して構成されている。また、縦壁面２２１ｈには、下側外壁材２２０の表側から表側上面２２１ｖに浸入する水を止水するための止水材２２１ｍ（止水用フォームメルトなど）が設けられる。
【００４５】
また、図４（ａ）に示すごとく、表合抉部２２１において、裏側面２２０ｂと、裏側傾斜面２２１ｚと、裏側上面２２１ｄと、傾斜面２２１ｋの四つの面によって、上側に凸の形状をなす上方向凸部２２２が形成されている。この上方向凸部２２２は、図４（ｂ）に示すごとく、下側外壁材２２０の横幅方向（図４の紙面と直交する方向）の数箇所において、留付具２３０の爪部２３１に係止されることとしている。
【００４６】
さらに、図４（ｂ）に示すごとく、留付具２３０において、下側外壁材２２０の裏側面２２０ｂに当着する凸部２３５を設けることとし、下側外壁材２２０が上側外壁材１０と比較して室外側に押し出される構成としており、下側外壁材２２０の裏側面２２０ｂは、上側外壁材１０の裏側面１０ｂよりも室外側に配置されるようになっている。
【００４７】
そして、図５に示すごとく、本実施例２では、上方向凸部２２２の裏側面最上点２２０ｄの外壁厚み方向位置Ｐ２２０が、下方向凸部１２の裏側面最下点１０ｄの外壁厚み方向位置Ｐ１１０よりも、表側の位置に設定されることにより、下方向凸部１２と上方向凸部２２２の間に空間Ｍ４が形成されるようになっている。また、上方向凸部２２２と下方向凸部１２の間に形成される隙間Ｓ２の距離Ｈ２ｓは、本実施例では、裏側下面１１ｄと裏側上面２２１ｄの間の距離であって、図４（ｂ）に示すごとく、隙間Ｓ２に挿入される留付具２３０の爪部２３１の水平面部２３４の上下位置によって規定されることになる。
【００４８】
このようにして、図５に示すごとく、上方向凸部２２２の裏側面最上点２２０ｄと、下方向凸部１２の裏側面最下点１０ｄとの距離Ｈ２を、上方向凸部２２２と下方向凸部１２の間に形成される隙間Ｓ２の距離Ｈ２ｓよりも大きく確保できるようになっている。
【００４９】
そして、図６（ａ）に示すごとく、空間Ｍ４が存在することによって、上側外壁材１０の裏側面１０ｂを伝う水滴Ｗが、上側外壁材１０の裏側下面１１ｄと下側外壁材２２０の裏側上面２２１ｄの間の隙間Ｓ２に浸入することを防止することができる。
【００５０】
仮に、図６（ｂ）に示すごとく、空間Ｍ４（図６（ａ））が存在せず、上方向凸部２２２Ｂの裏側面最上点２０Ｂｄが、下方向凸部１２Ｂの裏側面最下点１０Ｂｄに近接する構成である場合には、裏側面１０Ｂｂを伝って裏側面最下点１０Ｂｄに到達した水滴Ｗは、裏側面最下点１０Ｂｄと裏側面最上点２０Ｂｄの間の隙間ＳＢを一時的に跨ぐ状況となり、さらに、毛細管現象によって、隙間ＳＢ内へと浸入することになる。そして、隙間ＳＢ内へと浸入した水滴Ｗは、表側上面２１Ｂｖに滞留して外壁材の劣化（凍害など）に影響を与えることや、或いは、下側外壁材２０Ｂの表側面２０Ｂａへと染み出し、この染み出した水分によって藻が繁殖するなどして、汚れＹが生じることになる。
【００５１】
一方、図６（ａ）に示すごとく、空間Ｍ４が存在することによれば、上方向凸部２２２の裏側面最上点２２０ｄが、下方向凸部１２の裏側面最下点１０ｄから離された構成となるため、裏側面最下点１０ｄに到達した水滴Ｗは、裏側面最下点１０ｄと裏側面最上点２２０ｄの間の隙間Ｓ２を跨ぐことができず、裏側面最下点１０ｄにおいて次第に大きな水滴となって、自重により下に落下などすることとなって、隙間Ｓ２内への水滴Ｗの浸入が防がれることになる。
【００５２】
以上のようにして、図６（ａ）に示すごとく、施工後において結露などによって外壁材（上側外壁材１０）の裏側面１０ｂを水滴Ｗが流れ落ちる状況や、施工途中において雨水などが外壁材（上側外壁材１０）の裏側面１０ｂに降りかかり水滴Ｗとなって流れ落ちる状況が生じた場合においても、隙間Ｓ２内への水滴Ｗの浸入は防がれることから、この水滴Ｗが表側上面２２１ｖに滞留することや、或いは、下側外壁材２２０の表側面２２０ａへと染み出して汚れが生じるといった不具合の発生を防止できることになる。
【００５３】
なお、図４（ａ）に示すごとく、本実施例２では、実施例１と同様に上方向凸部２２２に裏側傾斜面２２１ｚが形成されて、空間Ｍ４が形成されることとした。このように、本実施例２においては、実施例１の構成を組み合わせて実施することとしてもよい。
【００５４】
また、図７に示すごとく、実施例１の形態を併用せずに、単純に、下側外壁材の裏側面が上側外壁材の裏側面よりも表側（下側外壁材の表側面側）となるように配置することによっても、距離Ｈ２ａを隙間Ｓ２の距離Ｈ２ｓよりも大きく確保することができ、これによって、隙間Ｈ２ｓへの水の浸入を防止することが可能となる。
【実施例３】
【００５５】
図８（ａ）（ｂ）、及び、図９に示すごとく、本実施例３では、上下に隣り合う上側外壁材１０と、下側外壁材３２０の接合構造であって、上側外壁材１０の下部に設けた裏合抉部１１と、下側外壁材３２０の上部に設けた表合抉部３２１にて合抉接合され、裏合抉部１１と表合抉部３２１には、それぞれ留付具３３０の爪部３３１を係止させるための下方向凸部１２、上方向凸部３２２が設けられ、前記下方向凸部１２と前記上方向凸部３２２の裏側において、下方向凸部１２と上方向凸部３２２の間に空間Ｍ５を形成するために、爪部３３１には、下方向凸部１２を下側から支えるための上側挿入部３３５と、上方向凸部３２２の上方であって上側挿入部３３５の下方に配置される下側挿入部３３６が設けられる、こととするものである。
【００５６】
また、図１０（ａ）に示すごとく、前記空間Ｍ５は、前記上側外壁材１０の裏側面１０ｂを伝って流れ落ちる水滴Ｗが、前記空間Ｍ５を跨いでしまうことを防げるように構成されるものとする。
【００５７】
以下詳細について説明すると、図８（ａ）に示すごとく、上側外壁材１０は、表側面１０ａと裏側面１０ｂを有する板状の部材であって、裏側面１０ｂを切欠くことによって、裏合抉部１１が形成されている。
【００５８】
また、図８（ａ）に示すごとく、裏合抉部１１は、裏側面１０ｂと、裏側面１０ｂの最も低い位置にある裏側面最下点１０ｄから表側に伸びる裏側下面１１ｄと、裏側下面１１ｄの表側端部から表側方向斜め上に伸びる傾斜面１１ｋと、傾斜面１１ｋの表側端部から表側に伸びる天面１１ｆと、天面１１ｆの表側端部から下方に伸びる縦壁面１１ｈと、縦壁面１１ｈの最下点から表側面最下点１０ｍに伸びる表側下面１１ｖと、を有して構成されている。
【００５９】
また、図８（ａ）に示すごとく、裏合抉部１１において、裏側面１０ｂと、裏側下面１１ｄと、傾斜面１１ｋの三つの面によって、下側に凸の形状をなす下方向凸部１２が形成されている。この下方向凸部１２は、図８（ｂ）に示すごとく、上側外壁材１０の横幅方向（図８の紙面と直交する方向）の数箇所において、留付具３３０の爪部３３１に係止されることとしている。
【００６０】
また、図８（ａ）に示すごとく、下側外壁材３２０は、表側面３２０ａと裏側面３２０ｂを有する板状の部材であって、表側面３２０ａを切欠くことによって、表合抉部３２１が形成されている。
【００６１】
また、図８（ａ）に示すごとく、表合抉部３２１は、裏側面３２０ｂと、裏側面３２０ｂの最も高い位置にある裏側面最上点３２０ｄから表側方向斜め上に伸びる裏側傾斜面３２１ｚと、裏側傾斜面３２１ｚの表側最上点３２１ｙから表側に伸びる裏側上面３２１ｄと、裏側上面３２１ｄの表側端部から表側方向斜め下に伸びる傾斜面３２１ｋと、傾斜面３２１ｋの表側端部から下方に伸びる縦壁面３２１ｈと、縦壁面３２１ｈの最下点から表側面最上点３２０ｍに伸びる表側上面３２１ｖと、を有して構成されている。また、縦壁面３２１ｈには、下側外壁材３２０の表側から表側上面３２１ｖに浸入した水を止水するための止水材３２１ｍ（止水用フォームメルトなど）が設けられる。
【００６２】
また、図８（ａ）に示すごとく、表合抉部３２１において、裏側面３２０ｂと、裏側傾斜面３２１ｚと、裏側上面３２１ｄと、傾斜面３２１ｋの四つの面によって、上側に凸の形状をなす上方向凸部３２２が形成されている。この上方向凸部３２２は、図８（ｂ）に示すごとく、下側外壁材３２０の横幅方向（図８の紙面と直交する方向）の数箇所において、留付具３３０の爪部３３１に係止されることとしている。
【００６３】
また、図８（ａ）（ｂ）に示すごとく、留付具３３０の爪部３３１には、下方向凸部１２を下側から支えるための上側挿入部３３５が設けられている。この上側挿入部３３５は、留付具３３０の固定板部３３７から室外側へと延出される略水平の板状部によって形成され、この板状部によって、下方向凸部１２の裏側下面１１ｄが支えられるようになっている。なお、固定板部３３７は、図示せぬ胴縁などの躯体側に固定されるものである。
【００６４】
また、図８（ａ）（ｂ）に示すごとく、上側挿入部３３５の室外側端には、傾斜面部３３２が斜め上方室外側に向けて設けられており、この傾斜面部３３２が上側外壁材１０の傾斜面１１ｋに対向することで、上側外壁材１０の面外方向へのズレが規制されるようになっている。
【００６５】
また、図８（ａ）（ｂ）に示すごとく、留付具３３０の爪部３３１には、上方向凸部３２２の上方であって上側挿入部３３５の下方に配置される下側挿入部３３６が設けられている。この下側挿入部３３６は、留付具３３０の固定板部３３７から室外側へと延出される略水平の板状部によって形成され、この板状部によって、上方向凸部３２２の裏側上面３２１ｄが覆い被されるようになっている。
【００６６】
また、図８（ａ）（ｂ）に示すごとく、上側挿入部３３５の室外側端部には、傾斜面部３３３が斜め下方室外側に向けて設けられており、この傾斜面部３３３が下側外壁材３２０の傾斜面３２１ｋに対向することで、下側外壁材３２０の面外方向へのズレが規制されるようになっている。
【００６７】
また、図９に示すごとく、留付具３３０において、上側挿入部３３５と下側挿入部３３６は、上下幅Ｈｄだけ離れるように設けられており、上側挿入部３３５と下側挿入部３３６の間に、上下幅Ｈｄを有する空間Ｍ５が形成されるようになっている。
【００６８】
そして、図１０（ａ）に示すごとく、空間Ｍ５が存在することによって、上側外壁材１０の裏側面１０ｂを伝う水滴Ｗが、上側外壁材１０の裏側下面１１ｄと下側外壁材３２０の裏側上面３２１ｄの間の隙間Ｓ３に浸入することを防止することができる。
【００６９】
仮に、図１０（ｂ）に示すごとく、空間Ｍ５（図１０（ａ））が存在せず、上方向凸部２２Ｂの裏側面最上点２０Ｂｄが、下方向凸部１２Ｂの裏側面最下点１０Ｂｄに近接する構成である場合には、裏側面１０Ｂｂを伝って裏側面最下点１０Ｂｄに到達した水滴Ｗは、裏側面最下点１０Ｂｄと裏側面最上点２０Ｂｄの間の隙間ＳＢを一時的に跨ぐ状況となり、さらに、毛細管現象によって、隙間ＳＢ内へと浸入することになる。そして、隙間ＳＢ内へと浸入した水滴Ｗは、表側上面２１Ｂｖに滞留して外壁材の劣化（凍害など）に影響を与えることや、或いは、下側外壁材２０Ｂの表側面２０Ｂａへと染み出し、この染み出した水分によって藻が繁殖するなどして、汚れＹが生じることになる。
【００７０】
一方、図１０（ａ）に示すごとく、空間Ｍ５が存在することによれば、上方向凸部３２２の裏側面最上点３２０ｄが、下方向凸部１２の裏側面最下点１０ｄから離された構成となるため、裏側面最下点１０ｄに到達した水滴Ｗは、裏側面最下点１０ｄと裏側面最上点１２０ｄの間の隙間Ｓ３を跨ぐことができず、裏側面最下点１０ｄにおいて次第に大きな水滴となって、自重により下に落下などすることとなって、隙間Ｓ３内への水滴Ｗの浸入が防がれることになる。
【００７１】
以上のようにして、図１０（ａ）に示すごとく、施工後において結露などによって外壁材（上側外壁材１０）の裏側面１０ｂを水滴Ｗが流れ落ちる状況や、施工途中において雨水などが外壁材（上側外壁材１０）の裏側面１０ｂに降りかかり水滴Ｗとなって流れ落ちる状況が生じた場合においても、隙間Ｓ３内への水滴Ｗの浸入は防がれることから、この水滴Ｗが表側上面３２１ｖに滞留することや、或いは、下側外壁材３２０の表側面３２０ａへと染み出して汚れが生じるといった不具合の発生を防止できることになる。
【００７２】
なお、図８（ｂ）の留付具３３０の爪部３３１の構成については、上側挿入部３３５や下側挿入部３３６を固定板部３３７の一部を折り曲げる板金加工によって設けることとする他、複数部材を組み合わせて構成することとしてもよい。
【００７３】
また、図８（ａ）の上方向凸部３２２の形状から判るように、この上方向凸部３２２は、実施例１の上方向凸部２２（図１（ａ）参照）と同様の構成とするものであって、このように、実施例３は実施例１の構成と組み合わせて実施することや、実施例２とも組み合わせて実施することも可能である。
【産業上の利用可能性】
【００７４】
本発明の構成は、窯業系サイディング、セラミック系サイディングなどの板状の外壁材を接合させる接合構造において、広く適用することができる。
【符号の説明】
【００７５】
１０    上側外壁材
１０ａ    表側面
１０ｂ    裏側面
１０ｄ    裏側面最下点
１１    裏合抉部
１２    下方向凸部
２０    下側外壁材
２０ａ    表側面
２０ｂ    裏側面
２０ｄ    裏側面最上点
２１    表合抉部
２２    上方向凸部
３０    留付具
Ｍ    空間
Ｓ    隙間
Ｗ    水滴
【図１】
0005649115.tif 000002
【図２】
0005649115.tif 000003
【図３】
0005649115.tif 000004
【図４】
0005649115.tif 000005
【図５】
0005649115.tif 000006
【図６】
0005649115.tif 000007
【図７】
0005649115.tif 000008
【図８】
0005649115.tif 000009
【図９】
0005649115.tif 000010
【図１０】
0005649115.tif 000011
【図１１】
0005649115.tif 000012
【図１２】
0005649115.tif 000013